(57)【要約】【課題】両耳にヘッドホンを装着して音楽を聴いている利用者が周囲からの話しかけに応じられる状態なのかを周囲に居る者が判断できるようにする。【解決手段】制御本体部１１内の表示制御部５７は、当該制御本体部１１が音楽再生装置２０Ｌまたは２０Ｗから受信した音信号ＡＭＬおよびＡＭＲをアナログ／デジタル変換した音信号ＤＭＬおよびＤＭＲを制御部５５から受け取る。表示制御部５７は、この音信号ＤＭＬおよびＤＭＲから音楽再生装置２０Ｌ及び２０Ｗによる音楽の再生の態様を求め、この態様に応じて表示器１４Ｌ及び１４ＲのＬＥＤの点滅を制御する。【選択図】図２
2012249020.tif 000002
【特許請求の範囲】
【請求項１】
音楽再生装置の出力信号に応じた音響振動を耳内に向けて発生する電気／音響変換部と、
発光体と、
前記音楽再生装置の出力信号から前記音楽再生装置による音楽の再生の態様を求め、この態様に応じて前記発光体の発光を制御する表示制御部と
を具備することを特徴とする音楽聴取支援装置。
【請求項２】
前記表示制御部は、前記電気／音響変換部の出力信号から音楽のテンポを求め、このテンポに応じて前記発光体の発光を制御することを特徴とする請求項１に記載の音楽聴取支援装置。
【請求項３】
前記表示制御部は、前記電気／音響変換部の出力信号から音楽の再生音量を求め、この再生音量に応じて前記発光体の発光を制御することを特徴とする請求項１に記載の音楽聴取支援装置。
【請求項４】
与えられた信号を所定のアルゴリズムに従ってエンコードし、このエンコード結果を示す信号を送信させる通信エンコーダを具備し、
前記表示制御部は、操作子によって所定の操作が行われた以降、前記音楽再生装置の出力信号を前記通信エンコーダに供給する処理を行うことを特徴とする請求項１乃至３のいずれか１の請求項に記載の音楽聴取支援装置。
【発明の詳細な説明】
【技術分野】
【０００１】
本発明は、イヤホンやヘッドホンによる音楽の聴取を支援する技術に関する。
【背景技術】
【０００２】
携帯型デジタル音楽プレーヤなどと称される小型化・軽量化された音楽再生装置が広く普及している。この種の音楽再生装置はイヤホンとともに使用される。この種の音楽再生装置の利用者は、イヤホンを自身の両耳に装着するとともにイヤホンのケーブルの先端のジャックを音楽再生装置に接続した状態で音楽再生装置に音楽を再生させる。
【先行技術文献】
【特許文献】
【０００３】
【特許文献１】特開平１０−１１７３９５号公報
【発明の開示】
【発明が解決しようとする課題】
【０００４】
この種の音楽再生装置では、利用者の耳に装着されたイヤホンから耳の中の空間に向けて曲の再生音が放音されるため、利用者の周囲に居る者は利用者がどのような曲を聴いているのかが分からない。利用者がどのような曲を聴いているのかを周囲の者が一見して分かるようにできれば、周囲の者は、利用者による音楽の聴取を邪魔しないようなタイミングを見計らって自らの用件を伝えたり、利用者に対して再生中の曲を一緒に聴くことを依頼する、といった行動を取り易くなるものの、このようなニーズに応える技術的手段はこれまでに提案されていなかった。
本発明は、このような背景の下に案出されたものであり、両耳にヘッドホンを装着して音楽を聴いている利用者の周囲の者に利用者がどのような曲を聴いているのかを知らせることができる技術的手段を提供することを目的とする。
【課題を解決するための手段】
【０００５】
本発明は、音楽再生装置の出力信号に応じた音響振動を耳内に向けて発生する電気／音響変換部と、発光体と、前記音楽再生装置の出力信号から前記音楽再生装置による音楽の再生の態様を求め、この態様に応じて前記発光体の発光を制御する表示制御部とを具備する音楽聴取支援装置を提供する。この発明では、表示制御部は、音楽再生装置の出力信号から音楽再生装置による音楽の再生の態様を求め、この態様に応じて発光体の発光を制御する。よって、利用者の周囲の者に利用者がどのような曲を聴いているのかを知らせることができる。
【０００６】
なお、イヤホンやヘッドホンに発光体を備え付けて発光させる技術を開示した文献として、特許文献１がある。しかし、この文献１の技術は、夜間などの見通しが悪い状況下においてヘッドホンを装着した人を周囲の人に認識させるための技術であり、本発明のように、音楽再生装置による音楽の再生の態様に応じて発光体の発光を制御するものではない。
【図面の簡単な説明】
【０００７】
【図１】本発明の一実施形態である音楽聴取支援装置１０を用いた音楽再生システムの全体構成を示す図である。
【図２】同装置１０の構成を示すブロック図である。
【図３】同装置１０の表示器の外観を示す図である。
【図４】同装置１０の本体制御部の外観を示す図である。
【図５】同装置１０と受信機９０との間の赤外線信号の送受信の様子を示す図である。
【図６】同装置１０における表示パターンの切り替わりの様子を示す図である。
【図７】同装置１０におけるＬＥＤの点滅回数の切り替わりの様子を示す図である。
【発明を実施するための形態】
【０００８】
以下、図面を参照し、この発明の実施形態について説明する。
図１は、この発明の一実施形態である音楽聴取支援装置１０を用いた音楽再生システムの全体構成を示す図である。図２は同装置の構成を示すブロック図である。図１に示すように、音楽再生システムは音楽聴取支援装置１０と音楽再生装置２０Ｌ及び２０Ｗとを含む。音楽再生装置２０Ｌは、当該音楽再生装置２０Ｌの記憶媒体内のオーディオファイルをデコードして得られるアナログ形式のＬ，Ｒ２チャネルの音信号ＡＭＬおよびＡＭＲを出力する。音楽再生装置２０Ｗは、当該音楽再生装置２０Ｗの記憶媒体内のオーディオファイルをデコードしてアナログ形式のＬ，Ｒ２チャネルの音信号ＡＭＬおよびＡＭＲを生成し、搬送波ＣＷをこの音信号ＡＭＬおよびＡＭＲにより変調した無線信号ＣＷ’を送信する。
【０００９】
音楽聴取支援装置１０は、利用者の耳に装着されるイヤホン１２Ｌ及び１２Ｒと、イヤホン１２Ｌ及び１２Ｒから引き出されたケーブル１３Ｌ及び１３Ｒに接続される制御本体部１１と、ケーブル１３Ｌ及び１３Ｒの途中に各々介挿された表示器１４Ｌ及び１４Ｒとを有する。イヤホン１２Ｌ及び１２Ｒは、カナル型イヤホンである。イヤホン１２Ｌは、中空な筐体３１Ｌ内に電気／音響変換部であるドライバ３２Ｌを埋め込み、筐体３１Ｌにおける音道の先端にイヤピース３３Ｌを設けたものである。また、イヤホン１２Ｒは、中空な筐体３１Ｒ内に電気／音響変換部であるドライバ３２Ｒを埋め込み、筐体３１Ｒにおける音道の先端にイヤピース３３Ｒを設けたものである。イヤホン１２Ｌは、イヤピース３３Ｌを利用者の左耳内に挿入することによって利用者の左耳に装着される。イヤホン１２Ｒは、イヤピース３３Ｒを利用者の右耳内に挿入することによって利用者の右耳に装着される。イヤホン１２Ｌ及び１２Ｒが装着された状態において、イヤホン１２Ｌ内のドライバ３２Ｌは、当該ドライバ３２Ｌに供給される電気信号に応じた音響振動を左耳内に向けて発生する。また、イヤホン１２Ｒ内のドライバ３２Ｒは、当該ドライバ３２Ｒに供給される電気信号に応じた音響振動を右耳内に向けて発生する。
【００１０】
制御本体部１１は、当該制御本体部１１が音楽再生装置２０Ｌとケーブル１５により接続されている場合には、音楽再生装置２０ＬからＬチャネルの音信号ＡＭＬおよびＲチャネルの音信号ＡＭＲを受け取って、イヤホン１２Ｌ内のドライバ３２ＬにＬチャネルの音信号ＡＭＬを、イヤホン１２Ｒ内のドライバ３２ＲにＲチャネルの音信号ＡＭＲを各々供給する。また、当該制御本体部１１が音楽再生装置２０Ｗと無線区間により接続されている場合には、音楽再生装置２０Ｗから無線信号ＣＷ’を受信し、この無線信号ＣＷ’からＬチャネルの音信号ＡＭＬおよびＲチャネルの音信号ＡＭＲを復調し、イヤホン１２Ｌ内のドライバ３２Ｌとイヤホン１２Ｒ内のドライバ３２Ｒに各々供給する。また、制御本体部１１は、音楽再生装置２０Ｌから再生中の曲のタイトル等を示す曲情報やその曲の音信号ＡＭＬおよびＡＭＲを受け取り、曲情報や音信号ＡＭＬおよびＡＭＲを示す赤外線信号を送信する。さらに、制御本体部１１は、音楽再生装置２０Ｌまたは２０Ｗから供給される音信号ＡＭＬおよびＡＭＲに基づいて、音楽再生装置２０Ｌまたは２０Ｗにおける音楽の再生の態様を求め、この態様に応じて表示器１４Ｌ及び１４Ｒの発光を制御する。制御本体部１１の構成の詳細については、後述する。
【００１１】
表示器１４Ｌ及び１４Ｒの各々は、ＲＧＢ３色のＬＥＤ（Light Emitting Diode）１Ｒ−ｋ（ｋ＝１〜７）、１Ｇ−ｋ（ｋ＝１〜７）、１Ｂ−ｋ（ｋ＝１〜７）の集合体である。より具体的に説明すると、図３に示すように、表示器１４Ｌ及び１４Ｒの各々の表面３２の中心には、赤のＬＥＤ１Ｒ−ｋ（ｋ＝１〜７）が縦方向に等間隔に並んでいる。表示器１４Ｌ及び１４Ｒの各々の表面３２におけるＬＥＤ１Ｒ−ｋ（ｋ＝１〜７）の左側には、緑のＬＥＤ１Ｇ−ｋ（ｋ＝１〜７）が縦方向に等間隔に並んでいる。表示器１４Ｌ及び１４Ｒの各々の表面３２におけるＬＥＤ１Ｒ−ｋ（ｋ＝１〜７）の右側には、青のＬＥＤ１Ｂ−ｋ（ｋ＝１〜７）が縦方向に等間隔に並んでいる。これらのＬＥＤ１Ｒ−ｋ（ｋ＝１〜７）、１Ｇ−ｋ（ｋ＝１〜７）、１Ｂ−ｋ（ｋ＝１〜７）の電流供給線は、ケーブル１３Ｌ及び１３Ｒ内を通って制御本体部１１に接続されている。
【００１２】
次に、制御本体部１１の構成について詳細に説明する。図４に示すように、制御本体部１１の外殻をなす筐体４０は直方体状をなしている。この筺体４０の上下に対向する側面４１及び４２のうち上側の側面４１からはケーブル１３Ｌ及び１３Ｒが引き出されており、下側の側面４２からはケーブル１５が引き出されている。また、この筐体４０の左側の側面４３と表面４４には、操作子群５９である再生／一時停止切替スイッチ４５、音量調整ボリューム４６、表示パターン切替スイッチ４７、点滅スピード切替スイッチ４８、及びシェアリングスイッチ４９が設けられている。また、筺体４０の表面４４の右上隅には光透過口５０が設けられている。筐体４０内における光透過口５０の裏側には、赤外線発光部５８（図２）がその発光方向を光透過口５０に向けて固定されている。
【００１３】
図２において、電源自動切替部５１は、ケーブル１５を介して音楽再生装置２０Ｌから電源電圧が供給される場合にはその電源電圧を制御本体部１１内の各部に供給し、ケーブル１５を介して電源電圧が供給されない場合には制御本体部１１に内蔵されたバッテリ５２からの電源電圧を制御本体部１１内の各部に供給する回路である。音声アナログ入力部５３は、ケーブル１５を介して音楽再生装置２０Ｌから入力された音信号ＡＭＬおよびＡＭＲを制御部５５に供給する。音声無線入力部５４は、無線区間を介して音楽再生装置２０Ｗから受信した無線信号ＣＷ’を復調して音信号ＡＭＬおよびＡＭＲを生成し、この音信号ＡＭＬおよびＡＭＲを制御部５５に供給する。
【００１４】
制御部５５は、制御本体部１１の制御中枢である。この制御部５５は、再生／一時停止切替スイッチ４５、音量調整ボリューム４６、表示パターン切替スイッチ４７、点滅スピード切替スイッチ４８、及びシェアリングスイッチ４９による各種操作に従って次の４種類の処理を行う。
Ａ．再生制御処理
この処理は、音楽再生装置２０Ｌまたは２０Ｗに音楽を再生させてその再生音をイヤホン１２Ｌ，１２Ｒから放音させる処理である。この処理では、制御部５５は、再生／一時停止切替スイッチ４５が押されると、当該制御本体部１１とケーブル１５または無線区間を介して接続されている音楽再生装置２０Ｌまたは２０Ｗ（例えば、音楽再生装置２０Ｌとする）に再生の指令ＣＡ１を送り、再生／一時停止切替スイッチ４５が再び押されると、音楽再生装置２０Ｌに一時停止の指令ＣＡ２を送る。音楽再生装置２０Ｌは、指令ＣＡ１を受け取ると、自らの記憶装置内のオーディオファイルをデコードしてデコード結果である音信号ＡＭＬおよびＡＭＲを制御本体部１１に供給する処理を開始し、指令ＣＡ２を受け取るとその処理を停止する。制御部５５は、音楽再生装置２０Ｌから供給された音信号ＡＭＬおよびＡＭＲを音声アナログ入力部５３を介して受け取り、受け取った音信号ＡＭＬおよびＡＭＲをデジタル形式の音信号ＤＭＬおよびＤＭＲに変換し、変換した音信号ＤＭＬおよびＤＭＲをバッファ７１と光通信エンコーダ５６及び表示制御部５７に出力する。バッファ７１に書き込まれた音信号ＤＭＬおよびＤＭＲはＤ／Ａ変換部７２によってアナログ形式の電気信号に変換され、イヤホン１２Ｌ内のドライバ３２Ｌとイヤホン１２Ｒ内のドライバ３２Ｒに各々供給される。ドライバ３２Ｌ及び３２Ｒはこの電気信号に応じた音響振動をイヤホン１２Ｌ及び１２Ｒが装着されている耳内に向けて発生する。光通信エンコーダ５６及び表示制御部５７の両部が行う処理については、後述する。
【００１５】
Ｂ．音量調整処理
この処理は、利用者の耳内に放音される再生音の音量を調整する処理である。この処理では、制御部５５は、音量調整ボリューム４６を筐体４０における上方向（図４の矢印Ａ方向）に移動させる操作が行われると、その移動量を振幅変化量ΔＬＥＶに変換し、以降に当該制御部５５が出力する音信号ＤＭＬおよびＤＭＲの振幅ＬＥＶをＬＥＶ＋ΔＬＥＶにする。これにより、利用者の耳内に放音される再生音の音量が大きくなる。また、制御部５５は、音量調整ボリューム４６を筐体４０における下方向（図４の矢印Ｂ方向）に移動させる操作が行われると、その移動量を振幅変化量ΔＬＥＶに変換し、以降に当該制御部５５が出力する音信号ＤＭＬおよびＤＭＲの振幅ＬＥＶをＬＥＶ−ΔＬＥＶにする。これにより、利用者の耳内に放音される再生音の音量が小さくなる。
【００１６】
Ｃ．赤外線通信制御処理
この処理は、光通信エンコーダ５６の動作を制御する処理である。この処理では、制御部５５は、シェアリングスイッチ４９が押されると、光通信エンコーダ５６に処理の開始の指令ＣＣ１を送り、 シェアリングスイッチ４９が再び押されると、同エンコーダ５６に処理の停止の指令ＣＣ２を送る。指令ＣＣ１及びＣＣ２の供給先である光通信エンコーダ５６は、制御部５５から指令ＣＣ１が与えられてから指令ＣＣ２が与えられるまでの間、制御部５５の出力信号ＤＭＬおよびＤＭＲをＩｒＤＡ（Infrared Data Association）のアルゴリズムに従ってエンコードし、このエンコード結果を示す赤外線信号ＩＮＦを赤外線発光部５８から送信させる処理を行う。ここで、図５に示すように、制御本体部１１を赤外線通信機能を有する受信機９０と対向させた状態で制御部５５が赤外線通信制御処理を実行すると、制御本体部１１の光透過口５０から受信機９０に向けて赤外線信号ＩＮＦが送信される。そして、受信機９０は、この赤外線信号ＩＮＦを受信し、受信した信号ＩＮＦをＩｒＤＡのアルゴリズムに従ってデコードして信号ＤＭＬ及びＤＭＲを生成し、この信号ＤＭＬ及びＤＭＲを当該受信機９０のスピーカ９１から音として放音する。
【００１７】
Ｄ．点滅制御処理
この処理は、表示制御部５７の動作を制御する処理である。図６に示すように、この処理では、制御部５５は、表示パターン切替スイッチ４７が押される度に、表示パターン１による動作の指令ＣＤ１→表示パターン２による動作の指令ＣＤ２→表示パターン３による動作の指令ＣＤ３→表示パターン４による動作の指令ＣＤ４→表示パターン１による動作の指令ＣＤ１というように指令の種類を巡回的に切り換えつつ、各指令ＣＤ１，ＣＤ２，ＣＤ３，及びＣＤ４を表示制御部５７に供給する。指令ＣＤ１，ＣＤ２，ＣＤ３，及びＣＤ４の供給先である表示制御部５７は、制御部５５の出力信号ＤＭＬおよびＤＭＲから音楽再生装置２０Ｌによる音楽の再生の態様を求め、この態様に応じて表示器１４Ｌ及び１４ＲのＬＥＤ１Ｒ−ｋ（ｋ＝１〜７）、１Ｇ−ｋ（ｋ＝１〜７）、１Ｂ−ｋ（ｋ＝１〜７）の発光を制御する処理を行う。この処理では、表示制御部５７は、表示パターンの指令を受け取った場合に、その表示パターンとして決められた手順に従って各ＬＥＤ１Ｒ−ｋ（ｋ＝１〜７）、１Ｇ−ｋ（ｋ＝１〜７）、１Ｂ−ｋ（ｋ＝１〜７）における発光色の要素（明度、色彩、色相）や表示場所を制御する。表示制御部５７による制御の具体的な内容は次の通りである。
【００１８】
ｄ１．表示パターン１に従った動作の指令ＣＤ１が与えられた場合
この場合、表示制御部５７は、制御部５５の出力信号ＤＭＬおよびＤＭＲをミキシングしたモノラル１チャネルの音信号を音信号ＤＭとし、この音信号ＤＭから音楽再生装置２０Ｌが再生する音楽のテンポを求め、音楽のテンポを表示器１４Ｌ及び１４ＲのＬＥＤ１Ｒ−ｋ（ｋ＝１〜７）、１Ｇ−ｋ（ｋ＝１〜７）、１Ｂ−ｋ（ｋ＝１〜７）を発光を通じて周囲に知らせる処理を行う。この処理では、表示制御部５７は、音信号ＤＭをＢＰＭ（Beats Per Minute）検出アルゴリズムにより解析して強拍を検出する。表示制御部５７は、強拍を検出する度に、その検出時刻から時間長Ｔ（Ｔは、相前後する強拍の時間間隔よりも短い時間とする）に亘って表示器１４Ｌ及び１４ＲのＬＥＤ１Ｒ−ｋ（ｋ＝１〜７）、１Ｇ−ｋ（ｋ＝１〜７）、１Ｂ−ｋ（ｋ＝１〜７）を点滅させる。また、表示制御部５７は、点滅スピード切替スイッチ４８が長く押される度に、ＬＥＤ１Ｒ−ｋ（ｋ＝１〜７）、１Ｇ−ｋ（ｋ＝１〜７）、１Ｂ−ｋ（ｋ＝１〜７）の時間長Ｔ当たりの点滅の回数ＮｕｍをＮ回ずつ増やし、点滅スピード切替スイッチ４８が短く押される度に、この回数Ｎｕｍをｎ（ｎ＝Ｎ／５）回ずつ増やす。例えば、Ｎ＝５、ｎ＝Ｎ／５＝１である場合、図７に示すように、表示制御部５７は、点滅スピード切替スイッチ４８が長く押される度に、５回（超低速点灯）→１０回（低速点灯）→１５回（中速点灯）→２０回（高速点灯）→５回（超低速点灯）と回数Ｎｕｍを巡回的に変化させ、点滅スピード切替スイッチ４８が短く押される度にこの回数Ｎｕｍを１回ずつ増やしていく。この表示パターン１では、音楽再生装置２０Ｌが再生している音楽の強拍に合わせて表示器１４Ｌおよび１４ＲのＬＥＤ１Ｒ−ｋ（ｋ＝１〜７）、１Ｇ−ｋ（ｋ＝１〜７）、１Ｂ−ｋ（ｋ＝１〜７）が点灯し、その点滅速度Ｖ（Ｖ＝Ｔ／Ｎｕｍ）が点滅スピード切替スイッチ４８の操作に応じて変化する。よって、利用者は、音楽の聴取に集中しているので話しかけて欲しくないのか、音楽の聴取にそれほど集中していないので話しかけても構わないのかをＬＥＤ１Ｒ−ｋ（ｋ＝１〜７）、１Ｇ−ｋ（ｋ＝１〜７）、１Ｂ−ｋ（ｋ＝１〜７）の点滅によって周囲の者に知らせることができる。
【００１９】
ｄ２．表示パターン２に従った動作の指令ＣＤ２が与えられた場合
この場合、表示制御部５７は、制御部５５の出力信号ＤＭＬおよびＤＭＲをミキシングしたモノラル１チャネルの音信号を音信号ＤＭとし、この音信号ＤＭから音楽再生装置２０Ｌが再生する音楽の音量を求め、音楽の音量を表示器１４Ｌ及び１４ＲのＬＥＤ１Ｒ−ｋ（ｋ＝１〜７）、１Ｇ−ｋ（ｋ＝１〜７）、１Ｂ−ｋ（ｋ＝１〜７）の発光を通じて周囲に知らせる処理を行う。この処理では、表示制御部５７は、音信号ＤＭの振幅ＬＥＶを音楽再生装置２０Ｌが再生する音楽の音量とする。表示制御部５７は、利用者が周囲からの声に注意を払っていない状況（話しかけてもらいたくない状況）とみなせる音量範囲を音量範囲Ｗａとし、利用者が周囲からの声に注意を傾ける状況か否かが個人差に左右される音量範囲を音量範囲Ｗｂとし、利用者が周囲からの声に注意を払っている状況（話しかけても構わない状況）とみなせる音量範囲を音量範囲Ｗｃとする。そして、表示制御部５７は、音量範囲Ｗａと音量範囲Ｗｂの境界にあたる閾値ＴＨ１および音量範囲Ｗｂと音量範囲Ｗｃの境界にあたる閾値ＴＨ２と、音信号ＤＭの振幅ＬＥＶとを比較する。表示制御部５７は、ＬＥＶ＜ＴＨ２である場合には、青のＬＥＤ１Ｂ−ｋ（ｋ＝１〜７）を発光させ、ＴＨ２≦ＬＥＶ≦ＴＨ１である場合には、黄色の色相が現れるように各々の輝度の調整してＬＥＤ１Ｒ−ｋ（ｋ＝１〜７）及びＬＥＤ１Ｇ−ｋ（ｋ＝１〜７）を発光させ、ＬＥＶ＞ＴＨ１である場合には、赤のＬＥＤ１Ｒ−ｋ（ｋ＝１〜７）を発光させる。この表示パターン２では、音楽再生装置２０Ｌが再生している音楽の音量に応じて発光色が変化する。よって、利用者は、話しかけても構わない状況で音楽を聴いているのかそれとも話しかけてもらいたくない状況で音楽を聴いているのかをＬＥＤ１Ｒ−ｋ（ｋ＝１〜７）、１Ｇ−ｋ（ｋ＝１〜７）、１Ｂ−ｋ（ｋ＝１〜７）の発光によって周囲の者に知らせることができる。
【００２０】
ｄ３．表示パターン３に従った動作の指令ＣＤ３が与えられた場合
この場合、表示制御部５７は、制御部５５の出力信号ＤＭＬおよびＤＭＲをミキシングしたモノラル１チャネルの音信号を音信号ＤＭとし、この音信号ＤＭから音楽再生装置２０Ｌによる音楽の再生の有無を求め、音楽が再生されている場合にそのことを表示器１４Ｌ及び１４ＲのＬＥＤ１Ｒ−ｋ（ｋ＝１〜７）、１Ｇ−ｋ（ｋ＝１〜７）、１Ｂ−ｋ（ｋ＝１〜７）の発光を通じて周囲に知らせる処理を行う。この処理では、表示制御部５７は、音信号ＤＭの振幅ＬＥＶが閾値ＴＨ３以上である間は、音楽再生装置２０Ｌにより音楽が再生されているとみなす。そして、この間は、表示器１４Ｌ及び１４Ｒの正面から見た発光色の色相が紫→藍→青→緑→黄→橙→赤となるようにＬＥＤ１Ｒ−ｋ（ｋ＝１〜７）、１Ｇ−ｋ（ｋ＝１〜７）、１Ｂ−ｋ（ｋ＝１〜７）の各々の輝度を連続的に変化させる処理を繰り返す。この表示パターン３では、音楽再生装置２０Ｌが音楽を再生している間だけ、表示器１４Ｌ及び１４Ｒの発光色がグラデーションの如く変化する。よって、利用者は、音楽を聴いている最中であることをＬＥＤ１Ｒ−ｋ（ｋ＝１〜７）、１Ｇ−ｋ（ｋ＝１〜７）、１Ｂ−ｋ（ｋ＝１〜７）の発光によって周囲の者に知らせることができる。
【００２１】
ｄ４．表示パターン４に従った動作の指令ＣＤ４が与えられた場合
この場合、表示制御部５７は、制御部５５の出力信号ＤＭＬおよびＤＭＲをミキシングしたモノラル１チャネルの音信号を音信号ＤＭとし、この音信号ＤＭから音楽再生装置２０Ｌによる音楽の再生の有無を求め、音楽の再生が停止されている場合にそのことを表示器１４Ｌ及び１４ＲのＬＥＤ１Ｒ−ｋ（ｋ＝１〜７）、１Ｇ−ｋ（ｋ＝１〜７）、１Ｂ−ｋ（ｋ＝１〜７）の発光を通じて周囲に知らせる処理を行う。この処理では、表示制御部５７は、音信号ＤＭの振幅ＬＥＶが閾値ＴＨ３以下である間は、音楽再生装置２０Ｌによる音楽の再生が停止されているとみなす。そして、この間は、表示器１４Ｌ及び１４Ｒの表面３２における３色のＬＥＤ１Ｒ−ｋ（ｋ＝１〜７）、１Ｇ−ｋ（ｋ＝１〜７）、１Ｂ−ｋ（ｋ＝１〜７）のうち１色（例えば、赤とする）のＬＥＤ１Ｒ−ｋ（ｋ＝１〜７）を、ＬＥＤ１Ｒ−１→ＬＥＤ１Ｒ−２→ＬＥＤ１Ｒ−３→ＬＥＤ１Ｒ−４→ＬＥＤ１Ｒ−５→ＬＥＤ１Ｒ−６→ＬＥＤ１Ｒ−７→ＬＥＤ１Ｒ−１と巡回的に発光させる処理を繰り返す。この表示パターン４では、音楽再生装置２０Ｌが音楽の再生を停止している間、発光するＬＥＤ１Ｒ−ｋがスクロールしているかのように上下方向に移動する。よって、利用者は、音楽の再生を停止させていることをＬＥＤ１Ｒ−ｋ（ｋ＝１〜７）の発光によって周囲の者に知らせることができる。
【００２２】
以上説明したように、本実施形態では、表示制御部５７は、制御部５５の出力信号ＤＭＬおよびＤＭＲから音楽再生装置２０Ｌおよび２０Ｗによる音楽の再生の態様を求め、この態様に応じて表示器１４Ｌ及び１４ＲのＬＥＤ１Ｒ−ｋ（ｋ＝１〜７）、１Ｇ−ｋ（ｋ＝１〜７）、１Ｂ−ｋ（ｋ＝１〜７）の発光を制御する。よって、利用者の周囲の者に利用者がどのような曲を聴いているのかを知らせることができる。
【００２３】
また、本実施形態では、表示器１４Ｌ及び１４Ｒの各々の表面３２に、赤、緑、青の色ごとの複数個ずつのＬＥＤ１Ｒ−ｋ、１Ｇ−ｋ、１Ｂ−ｋが並列に並べられている。よって、音楽再生装置２０Ｌおよび２０Ｗによる音楽の再生の態様をイルミネーションのような様々な色彩の発光色によって表すことができる。
【００２４】
また、本実施形態では、光通信エンコーダ５６は、制御部５５の出力信号ＤＭをＩｒＤＡのアルゴリズムに従ってエンコードして得られた赤外線信号ＩＮＦを、制御本体部１１と対面する他の装置に向けて送信する。よって、音楽聴取支援装置１０の周囲に居る者は、音楽聴取支援装置１０の発光状態からどんな曲を聴いているのについての手ががりを得てその曲に興味を持った場合には、利用者の肩を叩くなどして自身の方に振り向かせ、シェアリングスイッチ４９を押す操作を依頼することにより、利用者が聴いている曲を一緒に聴くことができる。従って、本実施形態によると、利用者とその周囲に居る者との間の曲の共有の諾否についてのやりとりを円満且つ円滑に行わせることができる。
【００２５】
以上、この発明の一実施形態について説明したが、この発明には他にも実施形態があり得る。例えば、以下の通りである。
（１）上記実施形態において、表示器１４Ｌ及び１４Ｒの表面３２と対向する位置に光拡散フィルムを設けてもよい。この実施形態によると、表示器１４Ｌ及び１４Ｒの表面３２のＬＥＤ１Ｒ−ｋ（ｋ＝１〜７）、１Ｇ−ｋ（ｋ＝１〜７）、１Ｂ−ｋ（ｋ＝１〜７）から放出された光が光拡散フィルムの表面屈折によって拡散する。よって、より興趣性の高い発光表現を実現することができる。また、この場合において、表示器１４Ｌおよび１４Ｒの表面３２を黒色に塗り潰してもよい。表面３２を黒色に塗りつぶすことにより、光拡散フィルムの表面屈折によって拡散した光の彩度を増すことができる。
【００２６】
（２）上記実施形態において、イヤホン１２Ｌ及び１２Ｒをヘッドホンにより置き換えてもよい。
（３）上記実施形態において、ＬＥＤ１Ｒ−ｋ（ｋ＝１〜７）、１Ｇ−ｋ（ｋ＝１〜７）、１Ｂ−ｋ（ｋ＝１〜７）のうちの何れを発光させるかの判断に用いる閾値ＴＨ１及びＴＨ２や音楽の再生の有無の判断に用いる閾値ＴＨ３を利用者が所定の操作によって変更できるようにしてもよい。
【００２７】
（４）上記実施形態では、表示制御部５７は、４つの表示パターン１〜４のいずれかに従って表示器１４Ｌ及び１４ＲのＬＥＤ１Ｒ−ｋ（ｋ＝１〜７）、１Ｇ−ｋ（ｋ＝１〜７）、１Ｂ−ｋ（ｋ＝１〜７）を点滅させた。しかし、表示パターンの種類はこれら４つに限らない。
【００２８】
たとえば、表示パターン１では、音信号ＤＭから周期的な拍を検出できた場合には、再生されているのが音楽であるとしてある色（例えば、赤とする）のＬＥＤ１Ｒ−ｋ（ｋ＝１〜７）を発光させ、周期的な拍を検出できない場合には、再生されているのが音楽でないもの（例えば英会話スピーチ）であるとして別の色（例えば、青とする）のＬＥＤ１Ｂ−ｋ（ｋ＝１〜７）を発光させてもよい。
【００２９】
また、表示パターン１では、強拍と弱拍を検出し、強拍の検出時刻に合わせて赤のＬＥＤ１Ｒ−ｋを、弱拍の検出時刻に合わせて青のＬＥＤ１Ｂ−ｋを発光させるようにしてもよい。
【００３０】
また、表示パターン１では、ＬＥＤ１Ｒ−ｋ（ｋ＝１〜７）、１Ｇ−ｋ（ｋ＝１〜７）、１Ｂ−ｋ（ｋ＝１〜７）の発光の時間間隔は強拍の時間間隔（即ち、テンポ）と同じにし、強拍を刻んだ各時点における音信号Ｍの振幅の大きさに応じて、ＬＥＤ１Ｒ−ｋ（ｋ＝１〜７）、１Ｇ−ｋ（ｋ＝１〜７）、１Ｂ−ｋ（ｋ＝１〜７）の発光色の光量（明るさ）、彩度、または色相を変化させてもよい。このようにすると、利用者が聴いている曲がノリのよい曲（アクセントの強い曲）であることを周囲の者に知らせることができる。
【００３１】
また、表示パターン２では、音信号ＤＭをＢＰＭ検出アルゴリズムにより解析してＢＰＭを検出し、このＢＰＭに応じて閾値ＴＨ１及びＴＨ２を変化させてもよい。一般に、ＢＰＭが低いとき（ゆっくりしたテンポの曲を聴いているとき）は、音楽の再生音量が大きくても周囲からの声に注意を傾け易く、ＢＰＭが高いとき（速いテンポの曲を聴いているとき）は、音楽の再生音量が小さくても周囲のからの声に注意を傾け難い。よって、この態様では、ＢＰＭが低くなると閾値ＴＨ１及びＴＨ２を高くし、ＢＰＭが高くなると閾値ＴＨ１及びＴＨ２を低くするとよい。
【００３２】
また、表示パターン２では、操作子群５９の最新の操作時刻からの経過時間に応じて閾値ＴＨ１及びＴＨ２を変化させてもよい。一般に、利用者が操作子群５９を操作してからしばらくの間は、音楽の聴取にそれほど集中していないので周囲からの声に注意を傾け易い。よって、この態様では、操作子群５９の最新の操作時刻からの経過時間が長くなるほど閾値ＴＨ１及びＴＨ２を低くするとよい。
【００３３】
また、表示パターン２では、左右２チャネルの音信号ＤＭＬおよびＤＭＲをモノラル１チャネルの音信号ＤＭにミキシングせずに、音信号ＤＭＬの振幅ＬＥＶに応じた輝度で表示器１４ＬのＬＥＤ１Ｒ−ｋ（ｋ＝１〜７）、１Ｇ−ｋ（ｋ＝１〜７）、１Ｂ−ｋ（ｋ＝１〜７）を発光させ、音信号ＤＭＲの振幅ＬＥＶに応じた輝度で表示器１４ＲのＬＥＤ１Ｒ−ｋ（ｋ＝１〜７）、１Ｇ−ｋ（ｋ＝１〜７）、１Ｂ−ｋ（ｋ＝１〜７）を発光させてもよい。
【００３４】
また、表示パターン２では、ＬＥＤ１Ｒ−ｋ（ｋ＝１〜７）、１Ｇ−ｋ（ｋ＝１〜７）、１Ｂ−ｋ（ｋ＝１〜７）の明度、色相、点滅速度などを音信号ＤＭの振幅ＬＥＶと閾値ＴＨ１，ＴＨ２との大小関係に応じて変化させるようにしてもよい。
【００３５】
また、表示パターン３では、音楽再生装置２０Ｌにより音楽が再生されている間、表示器１４Ｌ及び１４Ｒの正面から見た発光色の色相が淡い緑系の色となるようにＬＥＤ１Ｒ−ｋ（ｋ＝１〜７）、１Ｇ−ｋ（ｋ＝１〜７）、１Ｂ−ｋ（ｋ＝１〜７）の輝度の比を調整し、輝度の比を維持しつつＬＥＤ１Ｒ−ｋ（ｋ＝１〜７）、１Ｇ−ｋ（ｋ＝１〜７）、１Ｂ−ｋ（ｋ＝１〜７）の輝度を徐々に大きくした後にそれらの全てを消灯させてもよい。
【００３６】
また、表示パターン３では、音楽再生装置２０Ｌにより音楽が再生されている間、表示器１４Ｌ，１４Ｒの正面から見た発光色の色相が淡い緑系の色となるようにＬＥＤ１Ｒ−ｋ（ｋ＝１〜７）、１Ｇ−ｋ（ｋ＝１〜７）、１Ｂ−ｋ（ｋ＝１〜７）の輝度の比を調整し、輝度の比を維持しつつ点灯と消灯を脈動的に切り換えてもよい。
【００３７】
（５）上記実施形態において、表示器１４ＬのＬＥＤ１Ｒ−ｋ（ｋ＝１〜７）、１Ｇ−ｋ（ｋ＝１〜７）、１Ｂ−ｋ（ｋ＝１〜７）を表示パターン１に従って点滅させ、表示器１４ＲのＬＥＤ１Ｒ−ｋ（ｋ＝１〜７）、１Ｇ−ｋ（ｋ＝１〜７）、１Ｂ−ｋ（ｋ＝１〜７）を表示パターン２に従って点滅させる、というように、左右の発光体を異なる表示パターンに従って点灯させてもよい。
【００３８】
（６）上記実施形態において、表示器１４Ｌ及び１４Ｒの発光体装置は、それ自体が光を放つＬＥＤ１Ｒ−ｋ、１Ｇ−ｋ、１Ｂ−ｋである必要はない。このＬＥＤ１Ｒ−ｋ、１Ｇ−ｋ、１Ｂ−ｋを、他の発光体の光を指定された輝度の反射光として反射させる装置により置き換えてもよい。
【００３９】
（７）上記実施形態において、光通信エンコーダ５６を無線信号の変復調機能を有する無線通信エンコーダにより置き換えてもよい。
【符号の説明】
【００４０】
１…ＬＥＤ、１０…音楽聴取支援装置、１１…制御本体部、１２…イヤホン、１３，１５…ケーブル、１４…表示器、４５…再生／一時停止切替スイッチ、４６…音量調整ボリューム、４７…表示パターン切替スイッチ、４８…点滅スピード切替スイッチ、４９…シェアリングスイッチ、５１…電源自動切替部、５２…バッテリ、５３…音声アナログ入力部、５４…音声無線入力部、５５…制御部、５５６…光通信エンコーダ、５７…表示制御部、５８…赤外線発光部、７１…バッファ、７２…Ｄ／Ａ変換部。
【図１】
2012249020.tif 000003
【図２】
2012249020.tif 000004
【図３】
2012249020.tif 000005
【図４】
2012249020.tif 000006
【図５】
2012249020.tif 000007
【図６】
2012249020.tif 000008
【図７】
2012249020.tif 000009